(57)【特許請求の範囲】
【請求項１】
横方向及び上下方向に間隔をおいて複数の間隔調整杆が、型枠の内方に出入調節自在に設けられた型枠装置を、その間隔調整杆の先端を既設柱状構造物の側面に当接し、該構造物と所要の間隔を保持して設置し、該間隔内にコンクリートを打設するにあたり、間隔調整杆の下方位置までコンクリートを打設した後、当該間隔調整杆を間隔内より取り除き、コンクリートを打ち継いで行くことを特徴とする、既設柱状構造物を補強するコンクリート型枠施工法。
【発明の詳細な説明】
【０００１】
【産業上の利用分野】
本発明は、既設のコンクリート等柱状構造物の周囲に、コンクリート補強を施すための型枠施工法に関するものである。
【０００２】
【従来の技術】
近年、地震等の対策として、老朽化した柱状構造物や増強を要する柱状構造物への補強が行われるようになってきた。この補強は、一般的には、既製柱造構造物の周囲に所要厚さのコンクリートを打設する方法が採られている。この場合の型枠施工方法としては、従来の柱状コンクリート構造物の施工における場合と同様に、施工するコンクリートの外周面に沿った各面型枠を、既設の構造物と所定の間隔を保持して互いに連結し、コンクリートの打設を行うようにしている。
【０００３】
【発明が解決しようとする課題】
しかし、このような型枠施工では、各面の型枠を互いに締め付けてセットするのに多くの手間と熟練を要するばかりでなく、既設構造物と型枠との間隙保持をどのようにするかが問題であり、施工性が良く経済的に迅速な施工のできる方法の改善が技術上の課題となっている。
【０００４】
本発明は、上記の課題を解決するためになされたもので、型枠のセット、リセット及び既設構造物との間隔保持が簡易、確実に行なえるとともに、既設構造物及び施工するコンクリートの大きさの異なる各種のものに対しても僅かな調節作業によって広汎に適用することができ、経済性の高い、既設柱状構造物を補強するコンクリート型枠の施工方法を提供しようとするものである。
【０００５】
【課題を解決するための手段】
上記課題を解決するための本発明の構成について、実施例に対応する図面を参照して説明すると、請求項１の型枠施工法は、横方向及び上下方向に間隔をおいて複数の間隔調整杆３１，３１が、型枠の内方に出入調節自在に設けられた型枠装置Ａ，Ａを、その間隔調整杆３１，３１の先端を既設柱状構造物Ｂの側面に当接し、該構造物Ｂと所要の間隔ａを保持して設置し、該間隔ａ内にコンクリートを打設するにあたり、間隔調整杆３１，３１の下方位置までコンクリートＣを打設した後、当該間隔調整杆３１，３１を間隔ａ内より取り除き、コンクリートを打ち継いで行くことを特徴とするものである。
【０００６】
【発明の実施の形態】
以下、本発明の実施の形態について、図面を参照して説明する。まず、本発明の施工法において使用される型枠装置について説明する。型枠装置は、互いに結合及び分離が可能な一対の半部型枠体Ａ，Ａにより構成されている。
【０００７】
半部型枠体Ａは、施工する柱状コンクリート構造物Ｂの１面とそれに隣り合う面にそれぞれ沿う２つの面型枠１ａ，１ｂが互いに一端側において、結合部２を介して垂直軸回りに回動自在に結合して形成されている。それらの面型枠１ａ、１ｂは、従来の一般的な型枠と同様に、上下に間隔をおいて配列した横バタ材３ａ，３ａ（３ｂ，３ｂ）を縦バタ材４，４により結合し、横バタ材３ａ，３ａ（３ｂ，３ｂ）の内側（コンクリート打設側）にせき板５を取り付けた構造である。
【０００８】
そして、半部型枠体Ａにおける一方の面型枠１ａの横バタ材３ａ，３ｂの一端側には、他方の面型枠１ｂの横バタ材３ｂ及び後述する補強トラス２０の斜材２２との結合用孔６，６が横バタ材３ａの長さ方向に間隔をおいて設けられている。また、横バタ材３ａの他端部には、ブラケット７が突設され、これにネジ杆８が枢着９されている。
【０００９】
半部型枠体Ａにおける他方の面型枠１ｂの横バタ材３ｂ、３ｂには、その一端部に添板１０が突設され、その添板１０の個所により、上記結合用孔６，６のいずれかの位置において、ボルト等の軸体（図示を略す）により横バタ材３ａと回動及び分離自在に結合２するように構成されている。また、横バタ材３ｂの他端側には、後述する補強トラス２０の斜材２２との結合用孔６，６が隔設されるとともに、横バタ材３ｂの外面部にも複数の結合用孔１１，１１が隔設され、上記ネジ杆８の挿通孔１３を有する山形のブラケット１２（図４参照）が、それらの結合用孔１１，１１を介してボルト・ナット１４，１４により、横バタ材３ｂの長手方向に対して調節自在に取り付けられている。
【００１０】
上記の各横バタ材３ａ，３ｂには、外方に突出する補強トラス２０が設けられている。補強トラス２０は、打設コンクリートの圧力に抗する横バタ材３ａ（３ｂ）の補強や、打設コンリートの圧力に対応する逆撓み（コンクリートの打設圧力で型枠が外方に膨らむ撓みとは反対方向の撓み）を付与する役割をなすもので、伸縮機構を備えた直立の突張り材２１の一端部に一対の斜材２２，２２の各一端部が互いに枢着２３されている。
【００１１】
突張り材２１の伸縮機構としては、図５に示すように、突張り材２１の他端側に外ネジ２４を形成し、それにナット２５を螺合した構造となっている。すなわち、突張り材２１の他端部を横バタ材３ａ（３ｂ）に適宜突入させ、ナット２５を螺進させて横バタ材３ａ（３ｂ）の外側面に圧接させるようにしたもので、そのナット２５の螺進の度合により、枢着点２３から横バタ材３ａ（３ｂ）の外側面までの突張り材２１の実質的長さが自在に伸縮されることになる。
【００１２】
斜材２２も長さ調節可能である。例えば図示のように、２つに分割した部材を用い、それぞれに結合用孔２６，２６を隔設し、互いに端部を重ね合わせた状態で両者の孔２６，２６を介してボルト・ナット（図示を略す）により結合させるようにする。それらの孔２６，２６の選択によって斜材２２全体の長さが調節される。
【００１３】
そして、一方の横バタ材３ａにおける補強トラス20は、その一方の斜材２２の他端部を横バタ材３ａの他端部に枢着２７し、他方の斜材２２の他端部は横バタ材３ａの結合用孔６，６の所要個所にボルト・ナット（図示を略す）により結合して取り付けられる。また、他方の横バタ材３ａにおける補強トラス２０は、その一方の斜材２２の他端部を横バタ材３ｂの一端部に枢着２７し、他方の斜材２２の他端部は横バタ材３ｂの結合孔６，６の所要個所にボルト・ナット（図示を略す）により結合して取り付けられる。
【００１４】
なお、図示の実施例では、結合用孔６，６は横バタ材３ａ（３ｂ）の一端側または他端側に設けられているが、これは両端側に設けるようにしてもよい。また、一対の斜材２２，２２のうち一方のものを定尺のものとし、他方のものだけを長さ調節自在とすることもできる。
【００１５】
上記の各面型枠１ａ，１ｂには、その巾方向及び高さ方向に所要の間隔をおいて筒状等の支持部材３０，３０が縦バタ材４，４に添って設けられている。それら支持部材３０，３０には、面型枠１ａ，１ｂの横断方向に長く形成された間隔調整杆３１が挿脱自在に挿入され、その先端はせき板５に設けられた貫孔３２よりコンクリートの打設側に長く突出可能とされている。また、間隔調整杆３１には、その長さ方向に沿って複数のピン孔３３，３３が隔設され、そのいずれかのピン孔３３を支持部材３０のピン孔（図示を略す）と合わせ、止ピン３４を挿入することにより、間隔調整杆３１のせき板５からの突起出長さを変化させることができ、固定されるようになっている。
【００１６】
なお、間隔調整杆３１の脱着及び突出長さの調節手段は、その他従来公知の手段を適用することができ、また、間隔調整杆３１は、例えばネジ式などの調節手段により微調整できるようにすることもできる。
【００１７】
本発明の型枠施工法は、一例として上記の型枠装置を使用して行われる。まず、既設柱状構造物Ｂの地盤より所要高さにわたる周囲に、上記型枠装置の下部を取り付けるに必要な補強用コンクリートＣを適宜な手段で構築する。その際、型枠装置を固定するためのアンカー（図示を略す）を埋設し、そのアンカーを介して各半部型枠体Ａの下端部を固定し、半部型枠体Ａ，Ａどうしを組み付ける。
【００１８】
それに先立って各半部型枠体Ａ，Ａを組み付ける。その組み付けにおいては、一方の面型枠１ａにおける横バタ材３ａの一端側に他方の面型枠１ｂにおける横バタ材３ｂの端部を結合することになるが、その結合個所を、上記補強用コンクリートＣの一辺の大小に応じて、図示のような端部どうしまたは結合用孔６，６の個所を適宜選定して結合２する。また、他方のバタ材３ｂの方においては、ブラケット１２の取り付け位置を、施工する構造物の対応する一辺の大小に応じて調節する。その調節は、結合用孔１１，１１を適宜選択して行われる。
【００１９】
横バタ材３ａ，３ｂの補強トラス２０は、その一方の斜材２２を横バタ材３ａ（３ｂ）の端部にピン結合27し、他方の斜材２２を横バタ材３ａ，３ｂの結合個所２あるいはブラケット１２の取り付け個所よりそれぞれ内方位置にある結合用孔６，６において適宜に結合する。その際、斜材２２の長さは適宜調節される。また、突張り材２１は、その先端部を横バタ材３ａ（３ｂ）に突入させて、ナット２５を回し、その長さを調節し、さらにはナット２５を螺進させて、横バタ材３ａ（３ｂ）に打設コンクリートの圧力に対応する逆撓みを与えるようにする。
【００２０】
補強コンクリートＣにその下端部を固定した半部型枠体の一対Ａ，Ａは、互いに横バタ材３ａに設けられたネジ杆８を相手方の横バタ材３ｂに設けたブラケット１２の挿通孔１３に挿通してナット３５を螺合して締着する。それによって、型枠装置全体の組み付けができることになる。そして、各面型枠１ａ，１ｂの支持部材３０，３０に間隔調整杆３１を挿入して、その所要の長さを突出させ、その先端を既設柱状構造物Ｂの側面に当てた状態で、ピン孔３３に止ピン３４を挿入して固定し、既設柱状構造物Ｂよりせき板５までの距離を周囲及び上下に必要な等分の間隔ａに設定する。
【００２１】
既設柱状構造物Ｂとせき板との間隔ａ内には適宜配筋される。間隔ａ内へのコンクリートの打設は上下方向に段階的に行われる。まず、最下段にある間隔調整杆３１，３１の少し下方位置まで補強コンクリートＣ1 を打設する。そして、最下段の間隔調整杆３１，３１を、止ピン３４を抜いて間隔ａ内より脱出させ、Ａあるいは支持部材３０より取り除く。次に、次上段にある間隔調整杆３１，３１の少し下方位置まで補強コンクリートＣ2 を打設し、その間隔調整杆３１，３１を脱出あるいは取り除く。同様にして補強コンクリートＣ3 の打設と間隔調整杆３１，３１の脱出あるいは取り除きを行う。
【００２２】
打設した補強コンクリ−トＣ3 の硬化後は、半部型枠体Ａ，Ａを締結しているナット３５，３５をゆるめて面型枠１ａ，１ｂをコンクリートより剥離する。その際、各面型枠１ａ，１ｂは、補強トラス２０の逆撓みの付与による戻り作用により、内側に膨出弯曲することになり、型枠のコンクリートよりの剥離が良好に行われることになる。その後はネジ杆８，８をブラケット１２，１２より脱出させ、半部型枠体Ａ，Ａは互いに分離し、撤去されることになる。そして、それらの半部型枠体Ａ，Ａは、再び補強コンクリートＣ3 に当初と同様にして固定して組み付けられ、上方への補強コンクリートの打設を順次繰り返して行き施工を終えることになる。
【００２３】
なお、本発明では、上記実施例のような、半断面が四角形の補強コンクリートの施工に限定されるものではなく、多角形や円形、楕円形等各種形状のものに対して広く適用することができる。また、使用する型枠装置は、上記実施例のものに限ることなく、間隔調整杆３１，３１を脱着自在かつ突出長さ調節自在に設けたものであれば、従来公知の型枠装置を適宜使用することができる。
【００２４】
【発明の効果】
以上説明したように、本発明によれば、既設構造物の補強コンクリートを施工するための型枠装置が、既設柱状構造物と所要の間隔を保って簡易、確実に設置でき、補強コンクリートの施工が能率よく行えるとともに、間隔調整杆の出入調節により、厚さの異なる各種補強コンクリートの施工にも広く容易に対応することができ、施工の経済性が良好である。
【００２５】
また、上記施工方法で使用する型枠装置は、２個の面型枠をヒンジ結合した半部型枠体の一対を結合するものであり、しかも、型枠はその横方向に調節自在であるため、型枠のセット、リセットが簡便に能率よくできるとともに 、断面寸法の異なる各種のものに広汎に利用することができ、また、補強トラスを設けたことにより、主要な横バタ材に安い小断面のものを使用することができることから、型枠施工のコストを大巾に低減することができ、型枠施工の経済性が一層向上される。
【図面の簡単な説明】
【図１】本発明による施工の態様を示す一部切截正面図である。
【図２】本発明で使用する型枠装置の一実施例を示した平面図である。
【図３】一対の半部型枠体を分離して示した平面図である。
【図４】半部型枠体どうしの結合部分を示した一部切截平面図である。
【図５】補強トラスの突張り材部分を示した一部切截平面図である。
【符号の説明】
Ａ…半部型枠体、Ｂ…既設柱状構造物、Ｃ，Ｃ1，Ｃ2，Ｃ3…補強コンクリート、１ａ，１ｂ…面型枠、２…結合部、３ａ，３ｂ…横バタ材、４…縦バタ材、５…せき板、６…結合用孔、８…ネジ杆、１１…結合用孔、１２…ブラケット、１３…挿通孔、２０…補強トラス、２１…突張り材、２２…斜材、３０…支持部材、３１…間隔調整杆、３２…貫孔、３３…ピン孔、３４…止ピン、３５…ナット
【図１】
0003646946.tif 000002
【図２】
0003646946.tif 000003
【図３】
0003646946.tif 000004
【図４】
0003646946.tif 000005
【図５】
0003646946.tif 000006